(57)【特許請求の範囲】
【請求項１】
電線に装着された防護管のズレを防止するための防護管ズレ防止具であって、
電線に巻きつけて防護管を電線に固定するための螺旋状に形成された螺旋状固定部と、
前記螺旋状固定部の一方端部に、防護管に被せて固定する円環状に形成された円環状固定部と、
前記螺旋状固定部と前記円環状固定部とを繋ぐ直線部と、
を備える防護管ズレ防止具。
【請求項２】
請求項１記載の防護管ズレ防止具において、
前記螺旋状固定部の他方端部に、前記螺旋状固定部を電線に巻きつけるために使用するバインド打ち器のフック部を引っ掛ける円環状に形成された操作部を備える防護管ズレ防止具。
【請求項３】
請求項１記載の防護管ズレ防止具において、
前記円環状固定部に設置された前記円環状固定部を防護管へ固定するフック状の止め具と、
フック状の止め具を前記円環状固定部に引っ掛けるために使用するバインド打ち器のフック部を引っ掛ける円環状に形成された引っ掛け部と、
を備える防護管ズレ防止具。
【請求項４】
請求項１乃至３に記載の防護管ズレ防止具において、
前記螺旋状固定部と、前記直線部と、前記円環状固定部と、前記操作部と、前期引っ掛け部とは、一本の線状体から一体的に形成されることを特徴とする防護管ズレ防止具。
【発明の詳細な説明】
【技術分野】
【０００１】
本発明は、電線に装着された防護管のズレ防止具に関する。
【背景技術】
【０００２】
従来、建設現場においては、作業用の機械類で電線を引っ掛けて断線または、被覆を傷つけることがないように、目印の意味で防護管を装着している。また、鳥による糞害現場においては、鳥が電線に止まらないように、防護措置として防護管を装着している。そして、電線に設置した防護管が電線の延びる方向に移動しないように、ロープや粘着テープにより固定している。しかしながら、ロープや粘着テープは雨にさらされて解けたり、切れたりして防護管が電線の伸びる方向に移動するずれることが多かった。
【０００３】
なお、図８に示すように、防護管２００は、長尺な筒状に形成された黄色の本体部２０１と、この本体部２０１の一方端側に形成されてラッパ状に先端側を拡開する黒色の受部２０２と本体部２０１の他方端側に形成され受部２０２内に差し込む差込部２０３を備えている。
【０００４】
また、本体部２０１、受部２０２及び差込部２０３の外面から突出して延在方向に連続する脚部２０４が形成されている。なお、防護管２００は、この脚部２０４を拡開させることにより、電線に被せることが可能となる。
【０００５】
また、図９に示すような、防護管をカバー状の電線防護管係止具３００で挟み込みズレを防止する技術及び図１０に示すような、防護管の端部と電線を上下から挟み込む電線防護管係止具３０１のような防護管のズレを防止する技術（特許文献１参照）が考案されている。しかし、両技術は、電線を挟み込む狭持部を開ききってしまうと再使用が困難な場合もあり、また、値段が高価であり実際に使用されることは少ないという問題がある。
【特許文献１】特開２０００−２１７２３４号公報
【発明の開示】
【発明が解決しようとする課題】
【０００６】
電線に装着された防護管のズレを防止し、かつ、安価な防護管ズレ防止具の提供を目的とする。
【課題を解決するための手段】
【０００７】
以上の目的を達成するために、本発明は、以下のような防護管ズレ防止具を提供する。
【０００８】
（１）  電線に巻きつけて防護管を電線に固定するための螺旋状に形成された螺旋状固定部と、前記螺旋状固定部の一方端部に、防護管に被せて固定する円環状に形成された円環状固定部と、前記螺旋状固定部と前記円環状固定部とを繋ぐ直線部と、を備える防護管ズレ防止具。
【０００９】
（１）に記載の発明によれば、螺旋状固定部を電線の周りを周方向に沿って回転させることにより電線に螺旋状固定部を固定させることが可能であり、螺旋状固定部の一方端部の円環状の固定部を防護管に被せることにより、電線に装着された防護管のズレを防止することが可能となる。
【００１０】
（２）  前記螺旋状固定部の他方端部に、前記螺旋状固定部を電線に巻きつけるために使用するバインド打ち器のフック部を引っ掛ける円環状に形成された操作部を備える（１）に記載の防護管ズレ防止具。
【００１１】
（２）に記載の発明によれば、フックを引っ掛ける円環状の引っ掛け部を備えることによりバインド打ち器による防護管ズレ防止具の防護管からの脱着が容易になる。
【００１２】
（３）  前記円環状固定部に設置された前記円環状固定部を防護管へ固定するフック状の止め具と、フック状の止め具を前記円環状固定部に引っ掛けるために使用するバインド打ち器のフック部を引っ掛ける円環状に形成された引っ掛け部と、を備える（１）に記載の防護管ズレ防止具。
【００１３】
（３）に記載の発明によれば、フック状の防護管用の止め具を固定部の下部に引っ掛けることにより、防護管ズレ防止具の防護管への固定を可能とし、バインド打ち器用の円環状の引っ掛け部を備えることにより、バインド打ち器による防護管ズレ防止具の防護管からの脱着が可能となる。
【００１４】
（４）  線状体から一体的に構成されることを特徴とする（１）から（３）のいずれかに記載の防護管ズレ防止具。
【００１５】
（４）に記載の発明によれば、線状体から一体的に構成されることにより、非常に簡素な構造とすることができ、軽量化と低価格化とを可能とする。
【発明の効果】
【００１６】
本発明によれば、配電線に装着された防護管のズレの発生が防止でき、かつ、安価な防護管ズレ防止具の提供が可能となる。
【発明を実施するための最良の形態】
【００１７】
以下、本発明の実施形態について図面に基づいて説明する。
図１は、防護管ズレ防止具の実施形態を示す斜視図である。図２は防護管の電線への装着方法を示す斜視図である。図３から図８は防護管ズレ防止具の防護管への装着手順を示す斜視図である。
【００１８】
図１に示すように、防護管ズレ防止具１は、防護管の受部のラッパ状先端部を出た電線部に巻きつけて防護管を固定することができるように、螺旋状に形成された螺旋状固定部２と、螺旋状固定部２の一方端に直線状に形成される直線部３と、を備える。螺旋状固定部の巻き方向は電線に巻きつけられればよく、右巻き、左巻きにとらわれない。
【００１９】
螺旋状固定部２の螺旋の巻き回数は螺旋状固定部２を電線に固定するし易さと確実に固定するし易さの両立から３回程度が好ましい。また、螺旋状固定部２は線状体で形成され、線径ｄは再使用を考慮し強度維持上から同一口径が好ましい。
【００２０】
なお、螺旋状固定部２の中心軸Ｃ１と直線部３の中心軸Ｃ２は同一中心軸線上にあることが好ましい。
【００２１】
さらに、直線部３の一方端部には、円環状に形成され、防護管の黒色の受部と黄色の本体部との境界部分を挟み込み装着させる円環状固定部４を備える。
【００２２】
また、円環状固定部４は、円環状固定部本体８を防護管の黒色の受部と黄色の本体部との境界部分に固定するフック状の止め具６と、止め具６の下部にバインド打ち器１３のフック部１４を引っ掛け可能なように円環状に形成された引っ掛け部７と、を備える。
【００２３】
引っ掛け部７は、円環状固定部４の中心軸に対して垂直方向に形成される。
【００２４】
止め具６は線状体の一方端でフック状を形成し、他方端で円環状固定部４の引っ掛け部７の上部に巻き固定される。
【００２５】
円環状固定部４は直線部３から続く線状体を防護管の外形に被せられる程度の大きさの円環状に形成されることが好ましい。また、円環状固定部４は直線部３の中心軸に対して垂直方向に形成される。
【００２６】
螺旋状固定部２の他方端には、バインド打ち器１３のフック部１４を引っ掛け可能なように円環状に形成された操作部５を備える。
【００２７】
なお、防護管ズレ防止具１の螺旋状固定部２と直線部３と円環状固定部４と操作部５と引っ掛け部７とは形成が安易で安価に製作可能なように１本の線状体より形成される。
【００２８】
図２に示すように、まず、防護管２００を電線１１に装着する。活線作業用操作棒で先端がペンチ状の先端工具を持つクイック１０により防護管２００の受部２０２の脚部２０４の先端部を掴み拡開させ電線１１に被せる。受部２０２の先端部から差込部２０３まで徐々に電線１１に被せていく。
【００２９】
図３に示すように、クイック１０により防護管ズレ防止具１の直線部３の円環状固定部４側を掴み、直線部３と螺旋状固定部２が電線１１と平行になるように、防護管ズレ防止具１の円環状固定部４を防護管２００の先端部の近傍に配置する。このとき、バインド打ち器１３のフック部１４を防護管ズレ防止具１の引っ掛け部７へ引っ掛けやすくなるように配置される。
【００３０】
図４に示すように、クイック１０により防護管ズレ防止具１の直線部３の円環状固定部４側を掴んだまま、防護管ズレ防止具１を防護管２００の上方に移動させたのち、バインド打ち器１３のフック部１４を防護管ズレ防止具１の引っ掛け部７へ引っ掛ける。こうして、防護管ズレ防止具１の円環状固定部４を、クイック１０により防護管１２の上側によせてバインド打ち器１３とクイック１０により防護管１２に上から被せて装着する。
【００３１】
図５に示すように、バインド打ち器１３のフック部１４を防護管ズレ防止具の引っ掛け部７へ引っ掛け、防護管ズレ防止具１のフック状の止め具６を円環状固定部４の下部で直線部３との繋ぎ部分へ引っ掛けて防護管ズレ防止具１を防護管１２へ固定する。
【００３２】
図６に示すように、活線作業用操作棒で先端が万力状の先端工具を持つストレーリンクトング１５により防護管ズレ防止具１の螺旋状固定部２を電線１１に巻きつけるときの動揺を防止するために、防護管ズレ防止具１の直線部３と電線１１を狭持する。この時、直線部３と螺旋状固定部２は電線１１に沿わせるように電線１１に平行に狭持する。
【００３３】
図７に示すように、バインド打ち器１３のフック部１４を防護管ズレ防止具１の操作部５に引っ掛けて、防護管ズレ防止具１の螺旋状固定部２を電線１１の中心軸上を回転させるように巻きつけて防護管１２を電線１１に固定する。
【００３４】
螺旋状固定部２を電線１１に巻きつけて防護管１２を電線１１に固定後、ストレーリンクトング１５と、バインド打ち器１３と、を取り外し、防護管ズレ防止具１の防護管１２への装着が完了する。
【００３５】
以上本発明の実施形態を説明したが、本実施形態では、具体例を例示したに過ぎず、本実施形態では、特に本発明を限定しない。また、本発明の実施形態に記載された効果は、本発明から生じる最も好適な効果を列挙したに過ぎず、本発明による効果は、本発明の実施形態に記載された効果に限定されない。
【図面の簡単な説明】
【００３６】
【図１】本発明に係る防護管ズレ防止具の実施形態を示す斜視図である。
【図２】本発明に係る防護管ズレ防止具の防護管への装着手順を示す斜視図である。
【図３】図２に続く、防護管ズレ防止具の防護管への装着手順を示す斜視図である。
【図４】図３に続く、防護管ズレ防止具の防護管への装着手順を示す斜視図である。
【図５】図４に続く、防護管ズレ防止具の防護管への装着手順を示す斜視図である。
【図６】図５に続く、防護管ズレ防止具の防護管への装着手順を示す斜視図である。
【図７】図６に続く、防護管ズレ防止具の防護管への装着手順を示す斜視図である。
【図８】従来技術の防護管の例を示す斜視図である。
【図９】従来技術の電線防護管係止具の例を示す斜視図である。
【図１０】従来技術の電線防護管係止具の例を示す斜視図である。
【符号の説明】
【００３７】
１      防護管ズレ防止具
２      螺旋状固定部
３      直線部
４      円環状固定部本体
５      操作部
６      止め具
７      引っ掛け部
８      円環状固定部
１０    クイック
１１    電線
１３    バインド打ち器
１４    フック部
１５    ストレーリンクトング
２００  防護管
２０１  本体部
２０２  受部
２０３  差込部
２０４  脚部
３００  電線防護管係止具
３０１  電線防護管係止具
【図１】
0005046894.tif 000002
【図２】
0005046894.tif 000003
【図３】
0005046894.tif 000004
【図４】
0005046894.tif 000005
【図５】
0005046894.tif 000006
【図６】
0005046894.tif 000007
【図７】
0005046894.tif 000008
【図８】
0005046894.tif 000009
【図９】
0005046894.tif 000010
【図１０】
0005046894.tif 000011